(57)【要約】      （修正有）【課題】従来の固形燃料を使用したミニコンロの問題点である火力の弱さや使用時間の短さを解決するためにガスコンロを使用し、なおかつ、ガスコンロを垂直にセットする場合に問題となるガスボンベの交換が簡単なミニコンロを提供する。【解決手段】バーナー、五徳、受台からなる本体部、および交換可能なガスボンベからなるミニコンロであって、本体部はその外側に突出した形状のガスボンベ取り付け部を備え、ガスボンベはガスボンベ取り付け部に水平にセットされる。【選択図】図１
0003118444.tif 000002
【実用新案登録請求の範囲】
【請求項１】
バーナー、五徳、受台からなる本体部、および交換可能なガスボンベからなるミニコンロであって、本体部はその外側に突出した形状のガスボンベ取り付け部を備え、ガスボンベは上記ガスボンベ取り付け部に水平にセットされることを特徴とするミニコンロ。
【請求項２】
上記ガスボンベを上記ガスボンベ取り付け部に押し込み回転させることでガスボンベがガスボンベ取り付け部に固定されることを特徴とする請求項１記載のミニコンロ
【請求項３】
上記ガスボンベが使い捨てのガスボンベであることを特徴とする請求項１または２に記載のミニコンロ。
【請求項４】
上記ガスボンベが、プラスチック容器でガスの詰め替え可能なガスボンベであることを特徴とする請求項１または２に記載のミニコンロ。
【考案の詳細な説明】
【技術分野】
【０００１】
本考案は、交換可能なガス容器を有するミニコンロに関する。
【背景技術】
【０００２】
最近、ホテル・旅館・飲食店等では、大きなガスコンロやカセットコンロだけでなく、小さななべ等に使用する個人用のミニコンロが使われている。
【０００３】
個人用のミニコンロは、一人ずつ使用するために、燃料として固形燃料が主に用いられており、固形燃料は約1回分の使用に必要な大きさをしている。
【考案の開示】
【考案が解決しようとする課題】
【０００４】
上記固形燃料は、火力が弱い、1個の固形燃料でコンロが使用できる時間が短いといった問題点があった。
【０００５】
また、これらの問題を解決する一つの手段として、図８に示すような小型のガスボンベ２１を使用したミニコンロ２０も最近では使用されているが、上記ミニコンロ２０は、ガスボンベ２１が本体部２にその一部が収納される形で垂直にセットされており、ガスボンベ２１の交換の際には、ミニコンロ２０に載せいている調理器具を一度ミニコンロ２０から取り外し、ミニコンロ２０自体を持ち上げてガスボンベ２１を交換する必要があった。このことから、ガスボンベの交換が簡単なミニコンロが求められている
【０００６】
本考案では、従来の固形燃料を使用したミニコンロの問題点である火力の弱さや使用時間の短さを解決するために、ガスコンロを使用しながらもガスコンロを垂直にセットする場合に問題となるガスボンベの交換が簡単なミニコンロを提供することを目的とする。
【課題を解決するための手段】
【０００７】
本考案のミニコンロは、バーナー、五徳、受台からなる本体部、および交換可能なガスボンベからなるミニコンロであって、本体部はその外側に突出した形状のガスボンベ取り付け部を備え、ガスボンベは上記ガスボンベ取り付け部に水平にセットされることを特徴とする。
【０００８】
上記ガスボンベを上記ガスボンベ取り付け部に押し込み回転させることでガスボンベがガスボンベ取り付け部に固定されることが好ましい。
【０００９】
また、上記ガスボンベが使い捨てのガスボンベであることが好ましい。
【００１０】
あるいは、上記ガスボンベが、プラスチック容器でガスの詰め替え可能なガスボンベであることが好ましい。
【考案の効果】
【００１１】
本考案のミニコンロは、バーナー、五徳、受台からなる本体部、および交換可能なガスボンベからなるミニコンロであって、本体部はその外側に突出した形状のガスボンベ取り付け部を備え、ガスボンベは上記ガスボンベ取り付け部に水平にセットされることにより、ミニコンロを使用中でも調理器具を移動させずに簡単にガスボンベの交換が可能となる。
【００１２】
上記ガスボンベを上記ガスボンベ取り付け部に押し込み回転させることでガスボンベがガスボンベ取り付け部に固定されることにより、ガスボンベの固定が簡単で確実に行うことができる。
【００１３】
また、上記ガスボンベが使い捨てのガスボンベであることにより、簡単にガスの補充を行うことができる。
【００１４】
あるいは、上記ガスボンベが、プラスチック容器でガスの詰め替え可能なガスボンベであることにより、ミニコンロのランニングコストを少なくすることができる。
【本考案を実施するための最良の形態】
【００１５】
図を用いて本考案のミニコンロ１について説明する。図１は本考案のミニコンロ１の平面図、図２は側面図である。
【００１６】
本考案のミニコンロ１は、バーナー４、五徳５、受台７からなる本体部２と、交換可能なガスボンベ３からなり、本体部２はその外側に突出した形状のガスボンベ取り付け部６をさらに備え、ガスボンベ３は上記ガスボンベ取り付け部６に水平にセットされている。
【００１７】
上記ガスボンベ３を、本体部２のガスボンベ取り付け部６に押し込んで回転させることで固定される。ガスボンベ３には凸部９が、取り付け部６には凹部８が設けられており、固定には凸部９と凹部８を用いる。
【００１８】
凸部９は円形で４箇所の突起１２（図６参照）が設けられており、ガスボンベ３を取り付け部６に押し込む時に、この４箇所の突起１２を凹部８に設けられた４箇所の溝１１（図４および図５参照）に挿入する。凹部８には溝１１と繋がった円周方向の溝１３（図５参照）がさらに設けられており、溝１１の奥まで突起１２を挿入したら、今度はガスボンベ３を回転させることにより突起１２を溝１３へと移動させることによりガスボンベ３の固定は完了する。これによりガスボンベ３を引っ張っただけでは、突起１２は溝１１から出てくることはできないので、ガスボンベ３は取り付け部６にしっかりと固定される。
【００１９】
火力の調節は、ガスボンベ取り付け部６に設けられた火力調節つまみ１４により行われる。なお本実施形態では、ガスボンベ３は図６に示すような使い捨てのガスボンベであり、ガスが無くなると交換が必要となる。
【００２０】
本考案により、ミニコンロ１は、本体部２の外側にガスボンベの取り付け部６が設けられ、上記取り付け部６にガスボンベ３が水平に取り付けることができるので、ミニコンロ１になべ等の調理器具を載せていてミニコンロ１が使用中であっても、調理器具を載せた状態でガスボンベ３が交換可能となる。
【００２１】
さらに、上述のような固定方法によりガスボンベ３を取り付け部６に固定することにより、カセットコンロのように常時押さえつけることが必要ないので、本体部をよりコンパクトにすることができる。
【００２２】
上記実施形態では、使い捨てのガスボンベ３を使用する場合について説明したが、ガスの詰め替え可能なガスボンベ１０を使用する場合について説明する。
【００２３】
ガスの交換可能なガスボンベ１０は、蓋部１５と容器部１６とからなりプラスチックにより成形されている。蓋部１５には上記ガスボンベ３と同じく凸部９が設けられており、この凸部９によりガスボンベ１０は本体部２の取り付け部６に取り付けることができる。
【００２４】
ガスボンベ１０はガスの詰め替えが可能なので、繰り返し利用することができ、コストを削減することができる。
【００２５】
このように本考案のミニコンロは、簡単にガスボンベの交換が可能で、よりコンパクトな構成が可能であり、従来のミニコンロに比べ利便性が増している。
【図面の簡単な説明】
【００２６】
【図１】本考案のミニコンロの平面図。
【図２】本考案のミニコンロの側面図。
【図３】本考案のミニコンロからガスボンベを取り外した状態の平面図。
【図４】本考案のミニコンロからガスボンベを取り外した状態の斜視図。
【図５】ガスボンベ取り付け部の拡大斜視図。
【図６】使い捨てのガスボンベの斜視図。
【図７】交換可能なガスボンベを取り付けた状態のミニコンロの平面図。
【図８】従来のミニコンロの斜視図。
【符号の説明】
【００２７】
１    ミニコンロ
２    本体部
３    ガスボンベ
４    バーナー
５    五徳
６    ガスボンベ取り付け部
７    受台
８    凹部
９    凸部
１０  ガスボンベ
１１  溝
１２  突起
１３  溝
１４  火力調節つまみ
１５  蓋部
１６  容器部
２０  ミニコンロ
２１  ガスボンベ
【図１】
0003118444.tif 000003
【図２】
0003118444.tif 000004
【図３】
0003118444.tif 000005
【図４】
0003118444.tif 000006
【図５】
0003118444.tif 000007
【図６】
0003118444.tif 000008
【図７】
0003118444.tif 000009
【図８】
0003118444.tif 000010